(57)【要約】【課題】操作が容易な間接活線工事用コッターを提供する。【解決手段】コッター１０は、一方の耐張碍子７と他方の耐張碍子７を揺動自在に連結できる。コッター１０は、直方体状のコッター本体１、Ｊ字状の掛け金２、及び、ロック手段３を備える。コッター本体１は、両側面１ｓ・１ｓを一対の把持腕５ａ・５ｂで把持できる。掛け金２は、コッター本体１と連結した長脚２ａと、長脚２ａの先端部からＵ字状に反転した短脚２ｂを有する。ロック手段３は、短脚２ｂがコッター本体１の穴１ｈに埋没した状態を維持できる。掛け金２は、一方の耐張碍子７の第１貫通穴７１ｈと他方の耐張碍子７の第２貫通穴７２ｈを一致させた状態で、短脚２ｂの先端部から第１貫通穴７１ｈ及び第２貫通穴７２ｈに挿通自在な湾曲部２１を有する。【選択図】図１
2018116785.tif 000002
【特許請求の範囲】
【請求項１】
一対の開閉する把持腕を先端部に有する長尺の絶縁操作棒を用いて、少なくとも一組の耐張碍子を揺動自在に連結する間接活線工事用コッターであって、
両側面を一対の前記把持腕で把持自在な直方体状のコッター本体と、
前記コッター本体とスライド自在及び回転自在に連結した円柱状の長脚、及び、前記長脚の先端部からＵ字状に反転し、先端部側が前記コッター本体の一方の面に穿設した穴に出没自在な円柱状の短脚を有するＪ字状の掛け金と、
前記短脚が前記コッター本体の穴に埋没した状態を維持するロック手段と、を備え、
一方の前記耐張碍子は、二山クレビス形の第１支持部に貫通した第１貫通穴を有し、
他方の前記耐張碍子は、一山クレビス形の第２支持部に貫通した第２貫通穴を有し、
前記掛け金は、前記第１貫通穴と前記第２貫通穴を一致させた状態で、前記短脚の先端部から前記第１貫通穴及び前記第２貫通穴に挿通自在な湾曲部を有する、間接活線工事用コッター。
【請求項２】
前記ロック手段は、
前記短脚の外周に当接自在な球体と、
前記球体が前記短脚の外周に向かう力を前記球体に付勢する付勢部材と、
前記短脚の外周に形成し、前記球体の一部が没入して前記短脚の軸方向の移動を規制する第１の窪み部と、を含んでいる、請求項１記載の間接活線工事用コッター。
【請求項３】
前記ロック手段は、
前記長脚の外周に当接自在な球体と、
前記球体が前記長脚の外周に向かう力を前記球体に付勢する付勢部材と、
前記長脚の外周に形成し、前記球体の一部が没入して前記長脚の軸方向の移動を規制する第２の窪み部と、を含んでいる、請求項１又は２記載の間接活線工事用コッター。
【請求項４】
前記長脚は、前記コッター本体の底面に当接し、前記掛け金の脱落を防止する係止ピンを基端部に有する、請求項１から３のいずれかに記載の間接活線工事用コッター。
【発明の詳細な説明】
【技術分野】
【０００１】
本発明は、間接活線工事用コッターに関する。特に、絶縁操作棒を用いて、無停電状態で電気工事を実施する間接活線工事に適した間接活線工事用コッターであって、耐張碍子のクレビス形支持部などに取り付けできる間接活線工事用コッターの構造に関する。
【背景技術】
【０００２】
架空配電線を電柱に架設する場合には、いわゆる、引通し装柱と引留め装柱の二通りの装柱方法があることが知られている。一般に、引通し装柱は、電柱に支持された腕金に固定された碍子の溝部に架空配電線が当接され、碍子及び架空配電線にバインド線を巻回して、架空配電線を電柱に支持している。一方、引留め装柱は、架空配電線を挟持する引留クランプに連結した耐張碍子を電柱に支持した腕金に取り付けて、架空配電線を電柱に支持している。
【０００３】
図８は、引留め装柱による装柱の一例を示す正面図である。図８を参照すると、電柱Ｐには、その上部に腕金Ａを水平状態で固定している。腕金Ａの両側には、一組の耐張碍子７・７を配置している。一組の耐張碍子７・７は、揺動自在に互いに連結している。一方の耐張碍子７は、一組のねじりストラップＳｔ・Ｓｔを介して、腕金Ａに連結している。他方の耐張碍子７は、引留クランプＣｉを揺動自在に連結している。
【０００４】
図８を参照すると、引留クランプＣｉは、絶縁カバーで覆われている。引留クランプＣｉは、その内部で架空配電線（以下、電線という）Ｗを挟持している。このように、引留め装柱は、電線Ｗを挟持する引留クランプＣｉに連結した耐張碍子７を電柱Ｐに支持した腕金Ａに取り付けて、電線Ｗを電柱Ｐに支持している。一対の引留クランプＣｉ・Ｃｉの間には、張力を要することなく電線Ｗを架設している。電柱Ｐを迂回する電線Ｗの部位は、例えば、縁線Ｗｅと呼ばれている。
【０００５】
図９は、図８の部分拡大図であり、引留クランプから絶縁カバーを外した状態図である。図１０は、図９の部分拡大図であり、図１０（Ａ）は、引留クランプの正面図、図１０（Ｂ）は、図１０（Ａ）のＢ矢視図である。
【０００６】
又、図１１は、耐張碍子の構成を示す図であり、図１１（Ａ）は、一部を断面で示した耐張碍子の正面図、図１１（Ｂ）は、耐張碍子の右側面図である。図１２は、従来技術によるコッターの構成を示す斜視図である。図１３は、従来技術によるセルフロック形の割ピンの構成を示す図であり、図１３（Ａ）は、セルフロック形の割ピンの正面図、図１３（Ｂ）は、図１３（Ａ）のＡ−Ａ矢視断面図である。
【０００７】
図１１を参照すると、耐張碍子７は、磁器で形成された筒状の本体７０を備えている。又、耐張碍子７は、二山クレビス形の第１支持部７１と、一山クレビス形の第２支持部７２を備えている。第１支持部７１は、本体７０の一端部側に突出している。第２支持部７２は、本体７０の他端部側に突出している。第１支持部７１は、第１貫通穴７１ｈを端部に貫通している。第２支持部７２は、第２貫通穴７２ｈを端部に貫通している。
【０００８】
図９又は図１１を参照して、第１貫通穴７１ｈと、第２貫通穴７２ｈを一致させて、円柱状のコッター７ｃを挿入することにより、コッター７ｃを中心として一組の耐張碍子７・７を揺動自在に互いに連結できる。
【０００９】
又、図９又は図１１を参照して、ねじりストラップＳｔの端部に設けた開口と第１貫通穴７１ｈを一致させて、コッター７ｃを挿入することにより、コッター７ｃを中心として、一組のねじりストラップＳｔ・Ｓｔと一方の耐張碍子７を揺動自在に連結できる。
【００１０】
図９又は図１１を参照して、引留クランプＣｉの端部に設けた開口と第２貫通穴７２ｈを一致させて、コッター７ｃを挿入することにより、コッター７ｃを中心として、他方の耐張碍子７と引留クランプＣｉを揺動自在に連結できる。
【００１１】
図１０を参照すると、引留クランプＣｉは、クランプ本体Ｃ１、三角体状のくさび体Ｃ２、及び押え金具Ｃ３で構成している。クランプ本体Ｃ１は、くさび体Ｃ２とスライド可能に連結している。又、クランプ本体Ｃ１は、耐張碍子７と揺動自在に連結できる円環部Ｃａを一端部に有し、受け部Ｃｂを他端部に有している。受け部Ｃｂには、電線Ｗの被覆が部分的に剥離された剥離部Ｗｉと共に、くさび体Ｃ２の端部が押し込まれている。
【００１２】
図１０を参照すると、くさび体Ｃ２の斜面には、剥離部Ｗｉの外周を受ける円弧状の溝が形成されている。そして、くさび体Ｃ２と押え金具Ｃ３とがボルトで締結され、電線Ｗの剥離部Ｗｉを挟持（クランプ）している。
【００１３】
図１２を参照すると、従来技術によるコッター７ｃは、円柱状の軸部７１ｃと鍔部７２ｃで構成している。軸部７１ｃは、鍔部７２ｃと反対側に孔７ｃｈを開口している。一組の耐張碍子７・７をコッター７ｃで連結後に（図９参照）、割ピン７１ｐを孔７ｃｈに挿入することで、コッター７ｃの脱落を防止できる。更に、割ピン７１ｐを孔７ｃｈに挿入後に、割ピン７１ｐの先端部を拡げることで、割ピン７１ｐの脱落を防止できる。
【００１４】
図１２に示した割ピン７１ｐは、松葉形と呼ばれる黄銅製の割ピンである。黄銅製の割ピン７１ｐは、先端部の変形が容易である。一方、図１３に示した割ピン７２ｐは、セルフロック形と呼ばれるステンレス鋼製の割ピンである。図１２を参照して、割ピン７２ｐをコッター７ｃの孔７ｃｈに強制的に挿入すると、割ピン７２ｐの先端部が弾性復帰して、割ピン７２ｐをコッター７ｃにロックできる。セルフロック形の割ピン７２ｐは、操作性に優れている。
【００１５】
図９又は図１０を参照して、耐張碍子７をコッター７ｃで連結する、又は、耐張碍子７からコッター７ｃを引き抜くなどの配電工事は、一般に、無停電状態で実施している。無停電状態で配電工事する、いわゆる活線工事には、直接活線工法と間接活線工法の二通りがあることが知られている。
【００１６】
絶縁手袋などを用いる直接活線工法は、作業性に優れているが、高圧電線を取り扱う活線工事には、作業員の安全確保の観点から、長尺の絶縁操作棒を用いる間接活線工法に移行している。
【００１７】
図８を参照して、耐張碍子７を交換する場合には、図９に示すように、電線Ｗを腕金Ａ側に引き寄せて、コッター７ｃへの負荷を解除する必要がある。このような電線の引き寄せには、ストレインロッドと呼ばれる間接活線工事用の張線器を使用している。
【００１８】
図１４は、電線を引き寄せるための張線器の一例による構成を示す正面図である。図１５は、張線器の使用状態を示す正面図である。図１４又は図１５を参照すると、張線器８は、内部に空洞を有する円筒状の本体８１と伸縮ロッド８２で構成している。伸縮ロッド８２は、本体８１に対して、その軸方向に移動自在に連結している。
【００１９】
図１４又は図１５を参照して、本体８１は、送りねじ（図示せず）を内部に配置している。一方、伸縮ロッド８２は、前記送りねじと螺合したナット部材（図示せず）を内部に配置している。
【００２０】
又、図１４又は図１５を参照すると、本体８１は、円筒状のジョイント金具８３を一端部側に備えている。ジョイント金具８３には、間接活線工事用の共用操作棒（図示せず）の先端部と連結できる。共用操作棒の先端部とジョイント金具８３を連結し、共用操作棒を軸回りに回転すると、本体８１の内部に配置された歯車装置（図示せず）を介して、ジョイント金具８３の回転運動を前記送りねじに伝動できる。そして、本体８１に対して、伸縮ロッド８２をその軸方向に移動できる。
【００２１】
図１４又は図１５を参照すると、本体８１は、カムラ―と呼ばれる掴持器８４を一端部に連結している。掴持器８４は、複数のリンク部材で構成している。掴持器８４には、電線Ｗをその外周方向から導入できる。掴持器８４の下端側に設けた操作レバー８４１を引っ張ると、掴持器８４は、電線Ｗをその外周方向から掴持できる（図１５参照）。
【００２２】
図１４又は図１５を参照すると、本体８１は、電線支持部８５を中間部に設けている。電線支持部８５は、Ｕ字状に開口している。図１５に示すように、電線支持部８５は、電線Ｗを上部から導入できる。電線支持部８５の上部に設けた図示しない開閉部材で、電線支持部８５の開口を閉じることで、電線支持部８５は、電線Ｗを遊動自在に支持できる。
【００２３】
図１４又は図１５を参照すると、伸縮ロッド８２は、フック部材８６を他端部に連結している。フック部材８６は、リング部材８６ｒを設けている。リング部材８６ｒは、一対の開閉腕を先端部に有する絶縁操作棒（いわゆる、絶縁ヤットコ）で把持できる。図示しない前記絶縁操作棒を用いて、フック部材８６を上方に移動できる。
【００２４】
次に、図１５を参照して、張線器８の使用方法を説明する。なお、図１５に示した装柱例では、縁線Ｗｅがピン碍子７ｐに支持されている点が図８及び図９と異なっているが、その他の構成は同じである。
【００２５】
最初に、図１５を参照して、ねじりストラップＳｔに隣接配置した環状のロープＲにフック部材８６を係留する。そして、フック部材８６を先頭に、張線器８が垂れ下がった状態で、フック部材８６側を防護シートＰｓで防護する。フック部材８６が充電部に接触して、地絡することを防止するためである。同様に、縁線Ｗｅ及び引留クランプＣｉにも、それらの充電部が露出しないように、防護シートＰｓで防護する。
【００２６】
次に、図１５を参照して、ジョイント金具８３に共用操作棒（図示せず）を連結し、共用操作棒を操作して、張線器８の一端部側を電線Ｗに向かって持ち上げる。次に、電線支持部８５の内部に電線Ｗを導入した後に、掴持器８４を電線Ｗに取り付ける。次に、共用操作棒をその軸回りに一方の方向に回転すると、伸縮ロッド８２を本体８１に向かって移動でき、相対的に、電線Ｗを腕金Ａに向かって引き寄せることができる。そして、図９に示したように、コッター７ｃへの負荷を解除できる。
【００２７】
以上の準備が整った後に、ラジオペンチ状のアダプタ（図示せず）を一対の開閉腕に連結した絶縁操作棒を用いて、コッター７ｃから割ピン７１ｐを引き抜く（図１２参照）。
【００２８】
次に、図１１（Ｂ）又は図１２を参照して、タイスティックハンマー（図示せず）で鍔部７２ｃと反対側からコッター７ｃを叩き、鍔部７２ｃを突出させる。この場合、タイスティックハンマー（図示せず）は、共用操作棒の先端部に接続されている。次に、ラジオペンチ状のアダプタ（図示せず）を用いて、耐張碍子７からコッター７ｃを引き抜く。これらの一連の工事を経て、耐張碍子７を交換できる。
【００２９】
しかし、従来技術によるコッター又は従来技術による割ピンを絶縁操作棒で把持して、耐張碍子にコッターを装着する作業、又はコッターから割ピンを取り外す作業が容易でないという不具合があった。特に、耐張碍子にコッターを着脱するときに、割ピンを落下させ易いという不具合があった。
【００３０】
上述した不具合を解消するため、割ピンの脱落が困難であり、間接活線工法で着脱が容易な間接活線工事用のコッターが開示されている（例えば、特許文献１参照）。
【先行技術文献】
【特許文献】
【００３１】
【特許文献１】実公平７−４９０５７号公報
【発明の概要】
【発明が解決しようとする課題】
【００３２】
図１６は、従来技術による間接活線工事用のコッターに備わるコッター本体の構成を示す斜視図であり、一部を断面で示している。図１７は、従来技術による間接活線工事用のコッターに備わる中子部材の構成を示す斜視図である。図１８は、従来技術による間接活線工事用のコッターに備わる板ばね部材の構成を示す斜視図である。
【００３３】
図１９は、従来技術による間接活線工事用のコッターの構成を示す斜視図であり、一部を断面で示している。図２０は、従来技術による間接活線工事用のコッターの構成を示す縦断面図である。
【００３４】
図２１は、従来技術による間接活線工事用のコッターの構成を示す縦断面図であり、コッター本体に対して中子部材を内部に押し込んだ状態図である。図２２は、従来技術による間接活線工事用のコッターの使用例を示す斜視図である。
【００３５】
なお、本願の図１６から図２０は、特許文献１の図１から図５に相当している。又、本願の図２１と図２２は、特許文献１の図６と図７に相当している。
【００３６】
図１６から図２０を参照すると、従来技術による間接活線工事用のコッター（以下、コッターと略称する）６は、内部が中空の円筒状のコッター本体６１、円柱状の中子部材６２、及び、抜け止め用の板ばね部材６３を備えている。
【００３７】
図１６又は図１９及び図２０を参照すると、コッター本体６１は、円筒部６１ａと鍔部６１ｂで構成している。円筒部６１ａは、一対の矩形の窓６１ｗ・６１ｗを相反する向きに開口している。鍔部６１ｂは、その内径及び外径を円筒部６１ａの内径及び外径より大きく形成している。
【００３８】
図１７又は図１９及び図２０を参照すると、中子部材６２は、平板状の突部６２ａ、円柱状の軸部６２ｂ、及び、円盤状の頭部６２ｃを備えている。突部６２ａは、後述する板ばね部材６３の連結部６３ａを先端部６２１に係合できる（図１８参照）。軸部６２ｂは、円筒部６１ａの内部をスライド自在に移動できる。頭部６２ｃは、その外径が軸部６２ｂの外径より大きくなっている。又、頭部６２ｃは、その外径が鍔部６１ｂの内径より小さくなっている。
【００３９】
図１８から図２０を参照すると、板ばね部材６３は、ばね性を有する金属板を成形している。そして、板ばね部材６３は、Ｃ字状に形成した連結部６３ａと、相反する向きに向かう一対の突出部６３ｂ・６３ｂを有している（図１８参照）。一対の突出部６３ｂ・６３ｂは、連結部６３ａから開角するように上り傾斜する傾斜面６３１を形成している。又、一対の突出部６３ｂ・６３ｂは、それらの頂き部から互いに向かい合うように延出する延出部６３２を有している。
【００４０】
図２２を参照して、例えば、腕金Ａに連結した一組のねじりストラップＳｔ・Ｓｔと耐張碍子７を連結する場合には、最初に、ねじりストラップＳｔの端部に設けた開口と第１貫通穴７１ｈを一致させて（図１１参照）、コッター本体６１を挿入する。
【００４１】
次に、図２０を参照して、板ばね部材６３を中子部材６２の先端部に取り付けた状態で、板ばね部材６３を先頭にして、中子部材６２をコッター本体６１の鍔部６１ｂ側から挿入する。そして、一対の突出部６３ｂ・６３ｂの頂き部がコッター本体６１の内壁をスライドし、突出部６３ｂが窓６１ｗに到達すると、一対の突出部６３ｂ・６３ｂがこれらの窓６１ｗ・６１ｗから突出する（図１８又は図２０参照）。これにより、コッター６を抜け止めできる。
【００４２】
一方、図２０に示した状態から、コッター６を引き抜く場合には、図２０に示した状態から、中子部材６２をコッター本体６１の奥側に更に押し込む。そして、特許文献１によるコッター６は、突出部６３ｂの傾斜面６３１が窓６１ｗの縁にスライドして、一対の突出部６３ｂ・６３ｂの頂き部がコッター本体６１の外壁から引っ込むことで、コッター６を引き抜くことができる、としている。
【００４３】
図１６から図２０を参照すると、特許文献１によるコッター６は、耐張碍子に着脱するときに、割ピンに相当する板ばね部材６３を落下させる心配がないという利点がある。しかし、特許文献１によるコッター６は、間接活線工事用の先端工具を用いて、中子部材６２を操作することが容易でないという問題がある。
【００４４】
割ピンを使用することなく、コッターを抜け止めでき、かつ、間接活線工事用の絶縁操作棒を用いて、操作が容易な間接活線工事用コッターが求められている。そして、以上のことが本発明の課題といってよい。
【００４５】
本発明は、このような課題に鑑みてなされたものであり、割ピンを使用することなく、操作が容易な間接活線工事用コッターを提供することを目的とする。
【課題を解決するための手段】
【００４６】
本発明者は、Ｊ字状の掛け金で一対の耐張碍子を連結すると共に、掛け金をコッター本体にロックできるように間接活線工事用コッターを構成することで、耐張碍子同士を容易に連結できると考え、これに基づいて、以下のような新たな間接活線工事用コッターを発明するに至った。
【００４７】
（１）本発明による間接活線工事用コッターは、一対の開閉する把持腕を先端部に有する長尺の絶縁操作棒を用いて、少なくとも一組の耐張碍子を揺動自在に連結する間接活線工事用コッターであって、両側面を一対の前記把持腕で把持自在な直方体状のコッター本体と、前記コッター本体とスライド自在及び回転自在に連結した円柱状の長脚、及び、前記長脚の先端部からＵ字状に反転し、先端部側が前記コッター本体の一方の面に穿設した穴に出没自在な円柱状の短脚を有するＪ字状の掛け金と、前記短脚が前記コッター本体の穴に埋没した状態を維持するロック手段と、を備え、一方の前記耐張碍子は、二山クレビス形の第１支持部に貫通した第１貫通穴を有し、他方の前記耐張碍子は、一山クレビス形の第２支持部に貫通した第２貫通穴を有し、前記掛け金は、前記第１貫通穴と前記第２貫通穴を一致させた状態で、前記短脚の先端部から前記第１貫通穴及び前記第２貫通穴に挿通自在な湾曲部を有する。
【００４８】
（２）前記ロック手段は、前記短脚の外周に当接自在な球体と、前記球体が前記短脚の外周に向かう力を前記球体に付勢する付勢部材と、前記短脚の外周に形成し、前記球体の一部が没入して前記短脚の軸方向の移動を規制する第１の窪み部と、を含んでいることが好ましい。
【００４９】
（３）前記ロック手段は、前記長脚の外周に当接自在な球体と、前記球体が前記長脚の外周に向かう力を前記球体に付勢する付勢部材と、前記長脚の外周に形成し、前記球体の一部が没入して前記長脚の軸方向の移動を規制する第２の窪み部と、を含んでいることが好ましい。
【００５０】
（４）前記長脚は、前記コッター本体の底面に当接し、前記掛け金の脱落を防止する係止ピンを基端部に有することが好ましい。
【発明の効果】
【００５１】
本発明による間接活線工事用コッターは、Ｊ字状の掛け金で一対の耐張碍子を連結すると共に、掛け金をコッター本体にロックできるように間接活線工事用コッターを構成することで、耐張碍子同士を容易に連結できる。
【図面の簡単な説明】
【００５２】
【図１】本発明の一実施形態による間接活線工事用コッターの構成を示す図であり、図１（Ａ）は、間接活線工事用コッターの正面図、図１（Ｂ）は、間接活線工事用コッターの下面図、図１（Ｃ）は、間接活線工事用コッターの左側面図である。
【図２】前記実施形態による間接活線工事用コッターの構成を示す図であり、図２（Ａ）は、間接活線工事用コッターの縦断面図、図２（Ｂ）は、間接活線工事用コッターの一部を横断面で示す下面図である。
【図３】前記実施形態による間接活線工事用コッターの構成を示す斜視分解組立図である。
【図４】前記実施形態による間接活線工事用コッターの使用例を示す図であり、図４（Ａ）は、前記実施形態による間接活線工事用コッターを用いて、二山クレビス形の第１支持部と、一山クレビス形の第２支持部を連結した状態を示す平面図、図４（Ｂ）は、図４（Ａ）の正面図である。
【図５】本発明に係る絶縁操作棒の一例による構成を示す正面図である。
【図６】図５の要部を拡大した正面図である。
【図７】図６の左側面図である。
【図８】引留め装柱による装柱の一例を示す正面図である。
【図９】図８の部分拡大図であり、引留クランプから絶縁カバーを外した状態図である。
【図１０】図９の部分拡大図であり、図１０（Ａ）は、引留クランプの正面図、図１０（Ｂ）は、図１０（Ａ）のＢ矢視図である。
【図１１】耐張碍子の構成を示す図であり、図１１（Ａ）は、一部を断面で示した耐張碍子の正面図、図１１（Ｂ）は、耐張碍子の右側面図である。
【図１２】従来技術によるコッターの構成を示す斜視図である。
【図１３】従来技術によるセルフロック形の割ピンの構成を示す図であり、図１３（Ａ）は、セルフロック形の割ピンの正面図、図１３（Ｂ）は、図１３（Ａ）のＡ−Ａ矢視断面図である。
【図１４】電線を引き寄せるための張線器の一例による構成を示す正面図である。
【図１５】張線器の使用状態を示す正面図である。
【図１６】従来技術による間接活線工事用のコッターに備わるコッター本体の構成を示す斜視図であり、一部を断面で示している。
【図１７】従来技術による間接活線工事用のコッターに備わる中子部材の構成を示す斜視図である。
【図１８】従来技術による間接活線工事用のコッターに備わる板ばね部材の構成を示す斜視図である。
【図１９】従来技術による間接活線工事用のコッターに備わる板ばね部材の構成を示す斜視図である。
【図２０】従来技術による間接活線工事用のコッターの構成を示す縦断面図である。
【図２１】従来技術による間接活線工事用のコッターの構成を示す縦断面図であり、コッター本体に対して中子部材を内部に押し込んだ状態図である。
【図２２】従来技術による間接活線工事用のコッターの使用例を示す斜視図である。
【発明を実施するための形態】
【００５３】
以下、図面を参照して本発明を実施するための形態を説明する。
［間接活線工事用コッターの構成］
最初に、本発明の一実施形態による間接活線工事用コッターの構成を説明する。
【００５４】
図１は、本発明の一実施形態による間接活線工事用コッターの構成を示す図であり、図１（Ａ）は、間接活線工事用コッターの正面図、図１（Ｂ）は、間接活線工事用コッターの下面図、図１（Ｃ）は、間接活線工事用コッターの左側面図である。
【００５５】
図２は、前記実施形態による間接活線工事用コッターの構成を示す図であり、図２（Ａ）は、間接活線工事用コッターの縦断面図、図２（Ｂ）は、間接活線工事用コッターの一部を横断面で示す下面図である。
【００５６】
図３は、前記実施形態による間接活線工事用コッターの構成を示す斜視分解組立図である。
【００５７】
図４は、前記実施形態による間接活線工事用コッターの使用例を示す図であり、図４（Ａ）は、前記実施形態による間接活線工事用コッターを用いて、二山クレビス形の第１支持部と、一山クレビス形の第２支持部を連結した状態を示す平面図、図４（Ｂ）は、図４（Ａ）の正面図である。
【００５８】
なお、従来技術で使用した符号と同じ符号を有する構成品は、その作用を同じとするので、以下説明を省略することがある。
【００５９】
（絶縁操作棒の構成）
次に、本発明による間接活線工事用コッターの構成を説明するに先立ち、間接活線工事用コッターを操作するための絶縁操作棒の構成を説明する。
【００６０】
図５は、本発明に係る絶縁操作棒の一例による構成を示す正面図である。図６は、図５の要部を拡大した正面図である。図７は、図６の左側面図である。
【００６１】
図５から図７を参照すると、絶縁操作棒５は、長尺の操作棒５１と把持工具５２で構成している。又、絶縁操作棒５は、作動棒５３を備えている。把持工具５２は、操作棒５１の先端部に取り付けている。
【００６２】
図５又は図６を参照すると、把持工具５２は、開閉する一対の湾曲した把持腕５ａ・５ｂで構成している。そして、一方の把持腕５ａは、基端部が固定された固定腕であり、他方の把持腕５ｂは、一方の把持腕５ａの基端部に設けた回動軸５ｃを中心に回動する可動腕となっている。
【００６３】
図５を参照すると、作動棒５３は、操作棒５１に沿って保持されている。作動棒５３の先端部は、他方の把持腕５ｂに回動自在に連結している。そして、作動棒５３の基端部に設けた操作レバー５４を操作すると、一方の把持腕５ａに対して、他方の把持腕５ｂを開閉できる。絶縁操作棒５は、操作棒５１及び作動棒５３の中間部が絶縁性を有するプラスチックパイプなどで構成され、間接活線工法に好適なように、絶縁性を確保している。
【００６４】
図５を参照して、操作レバー５４を握って、操作レバー５４を操作棒５１に近づけると、一方の把持腕５ａに対して、他方の把持腕５ｂを閉じることができる。操作レバー５４を解放すると、操作レバー５４に連結したばね（図示せず）の力で、一方の把持腕５ａに対して、他方の把持腕５ｂを開くことができる。図５又は図６は、一方の把持腕５ａに対して、他方の把持腕５ｂが最大に開いた状態を示している。
【００６５】
図６又は図７を参照して、一方の把持腕５ａは、先細り状の把持爪５１ａを突出している。把持爪５１ａは、把持面５０ａを形成している。把持面５０ａは、回動軸５ｃの回転中心から遠心方向に沿って略平行に形成されている。同様に、他方の把持腕５ｂは、先細り状の把持爪５１ｂを突出している。把持爪５１ｂは、把持面５０ｂを形成している。把持面５０ｂは、把持面５０ａと所定の開角を設けて配置されている。図５又は図６を参照して、操作レバー５４を握ると、把持面５０ｂを把持面５０ａに近づけることができる。
【００６６】
図５から図７に示した絶縁操作棒５は、高所に配置された高圧配電線などを一対の把持爪５１ａ・５１ｂで把持できる、いわゆる「絶縁ヤットコ」になっている。
【００６７】
（全体構成）
次に、本発明の一実施形態による間接活線工事用コッターの全体構成を説明する。図１から図４を参照すると、本発明の一実施形態による間接活線工事用コッター（以下、コッターと略称する）１０は、直方体状のコッター本体１、Ｊ字状の掛け金２、及び、ロック手段３を備えている。
【００６８】
図１から図４を参照すると、コッター本体１は、その両側面１ｓ・１ｓを一対の把持腕５ａ・５ｂで把持できる（図５又は図６参照）。
【００６９】
図１から図４を参照すると、掛け金２は、円柱状の長脚２ａと円柱状の短脚２ｂを有している。長脚２ａは、コッター本体１とスライド自在及び回転自在に連結している。短脚２ｂは、長脚２ａの先端部からＵ字状に反転している。又、短脚２ｂは、先端部側がコッター本体１の一方の面に穿設した穴１ｈに出没できる。なお、実施形態による掛け金２は、長脚２ａと短脚２ｂを直線部２ｃで架橋している。又、長脚２ａと短脚２ｂは、略平行に配置されている。
【００７０】
図１から図３を参照すると、ロック手段３は、短脚２ｂがコッター本体１の穴１ｈに埋没した状態を維持できる。
【００７１】
図１又は図２及び図４を参照すると、一方の耐張碍子７は、二山クレビス形の第１支持部７１に貫通した第１貫通穴７１ｈを有している。他方の耐張碍子７は、一山クレビス形の第２支持部７２に貫通した第２貫通穴７２ｈを有している。
【００７２】
図１又は図２及び図４を参照すると、掛け金２は、第１貫通穴７１ｈと第２貫通穴７２ｈを一致させた状態で、短脚２ｂの先端部から第１貫通穴７１ｈ及び第２貫通穴７２ｈに挿通自在な湾曲部２１を有している。
【００７３】
図３を参照して、コッター本体１の両側面１ｓ・１ｓには、綾目状のローレットで形成した滑り止め１ｎｓを設けておくことが好ましい。一対の把持腕５ａ・５ｂで、コッター本体１の両側面１ｓ・１ｓを確実に把持できる。
【００７４】
図１から図３を参照して、長脚２ａは、その基端部に係止ピン２１ｐを圧入しておくことが好ましい。コッター本体１に対して、掛け金２を引き上げたときに、係止ピン２１ｐがコッター本体１の底面に当接することで、掛け金２の脱落を防止できる。
【００７５】
図１から図４を参照して、実施形態によるコッター１０は、コッター本体１から掛け金２を引き上げて、コッター本体１から短脚２ｂを離れた位置に移動させた状態で、コッター本体１を一対の把持腕５ａ・５ｂで把持し、絶縁操作棒５を操作することで、短脚２ｂの先端部から第１貫通穴７１ｈ及び第２貫通穴７２ｈに掛け金２を挿通できる。
【００７６】
次に、図３を参照して、短脚２ｂの先端面がコッター本体１の穴１ｈに対向するように、掛け金２を回動し、短脚２ｂが穴１ｈに埋没するように、掛け金２をコッター本体１に押し込むことで、掛け金２をコッター本体１にロックできる。
【００７７】
図１から図４を参照すると、実施形態によるコッター１０は、割ピンを使用することなく、コッターを抜け止めでき、かつ、間接活線工事用の絶縁操作棒５を用いて、少なくとも一組の耐張碍子７・７を揺動自在に連結できる（図４参照）。
【００７８】
（ロック手段の構成）
次に、実施形態によるロック手段３の構成を説明する。図１から図３を参照すると、コッター１０は、一組のロック手段３・３を更に備えている。一方のロック手段３は、球体３ｂ、圧縮コイルばねからなる付勢部材３ｓ、及び、第１の窪み部２１ｄと、を含んでいる。付勢部材３ｓは、円柱状のゴム体で構成することもできる。
【００７９】
図１から図３を参照すると、球体３ｂは、短脚２ｂの外周に当接できる。付勢部材３ｓは、球体３ｂが短脚２ｂの外周に向かう力を球体３ｂに付勢している。第１の窪み部２１ｄは、短脚２ｂの外周に形成している。第１の窪み部２１ｄには、球体３ｂの一部が没入して、短脚２ｂの軸方向の移動を規制できる。
【００８０】
図１から図３を参照すると、他方のロック手段３は、球体３ｂ、圧縮コイルばねからなる付勢部材３ｓ、及び、第２の窪み部２２ｄと、を含んでいる。
【００８１】
図１から図３を参照すると、球体３ｂは、長脚２ａの外周に当接できる。付勢部材３ｓは、球体３ｂが長脚２ａの外周に向かう力を球体３ｂに付勢している。第２の窪み部２２ｄは、長脚２ａの外周に形成している。第２の窪み部２２ｄには、球体３ｂの一部が没入して、長脚２ａの軸方向の移動を規制できる。
【００８２】
図２又は図３を参照すると、球体３ｂは、円管部材３１の内部に収容されている。円管部材３１は、その一端部側の開口３１ｈが収縮している（図３参照）。そして、円管部材３１は、その一端部側の開口３１ｈから球体３ｂの一部が突出するように、球体３ｂを収容できる。
【００８３】
又、図２又は図３を参照すると、円管部材３１は、その内部に付勢部材３ｓを収容している。円柱状の連結部材３２は、円管部材３１の他端部側の開口を封鎖すると共に、一対の円管部材３１・３１を同軸上に連結している。一対の円管部材３１・３１及び連結部材３２は、ロックユニット３０を構成している。ロックユニット３０は、一対の球体３ｂ・３ｂを相反する向きに配置している。
【００８４】
図２（Ａ）又は図３を参照すると、コッター本体１は、穴１ｈに略直交する横穴１３ｈを一方の端面に開口している。ロックユニット３０を横穴１３ｈに圧入することで、一対の球体３ｂ・３ｂが第１の窪み部２１ｄ及び第２の窪み部２２ｄに没入できる。なお、ロックユニット３０を横穴１３ｈに圧入後は、横穴１３ｈを円形の蓋体１ｒで封鎖しておくことが好ましい。
【００８５】
［（間接活線工事用コッターの作用］
次に、実施形態によるコッター１０の操作方法を説明しながら、コッター１０の作用及び効果を説明する。
【００８６】
図１から図４を参照して、最初に、コッター本体１から掛け金２を引き上げておく。次に、コッター本体１から短脚２ｂを離れた位置に移動させる（図３参照）。次に、コッター本体１を一対の把持腕５ａ・５ｂで把持し、絶縁操作棒５を操作することで、短脚２ｂの先端部から第１貫通穴７１ｈ及び第２貫通穴７２ｈに掛け金２を挿通できる。
【００８７】
次に、図３を参照して、短脚２ｂの先端面がコッター本体１の穴１ｈに対向するように、掛け金２を回動する。次に、短脚２ｂをコッター本体１の穴１ｈに押し込むことで、掛け金２をコッター本体１にロックできる。そして、一組の耐張碍子７・７を揺動自在に連結できる（図４参照）。
【００８８】
図２又は図４を参照して、一対の付勢部材３ｓ・３ｓの付勢力に抗して、絶縁操作棒５を用いて、コッター本体１を引き下げることにより、掛け金２とコッター本体１のロックを解除できる。次に、コッター本体１から短脚２ｂを離れた位置に移動させると、第１貫通穴７１ｈ及び第２貫通穴７２ｈから掛け金２を抜去できる。
【００８９】
図１から図４を参照すると、実施形態によるコッター１０は、割ピンを使用することなく、コッターを抜け止めでき、かつ、間接活線工事用の絶縁操作棒５を用いて、少なくとも一組の耐張碍子７・７を揺動自在に容易に連結できる（図４参照）。
【００９０】
本発明による間接活線工事用コッターは、次のような効果が期待できる。
（１）間接活線作業で、耐張碍子を容易に交換できる。
（２）小さい割ピンを操作する必要が無くなる。
（３）割ピンを落下させる心配が無くなる。
（４）絶縁操作棒を用いて、コッターの小孔に割ピンを挿入する必要が無くなる。
【００９１】
本発明は、間接活線作業用の絶縁操作棒を用いて、一組の耐張碍子を容易に連結できる間接活線工事用コッターを開示したが、本発明の間接活線工事用コッターは、耐張碍子同士に限定されることなく、耐張碍子とねじりストラップを容易に連結できる。
【符号の説明】
【００９２】
１  コッター本体
１ｈ  穴
１ｓ・１ｓ  両側面
２  掛け金
２ａ  長脚
２ｂ  短脚
３  ロック手段
５  絶縁操作棒
５ａ・５ｂ  一対の把持腕
７  耐張碍子
１０  コッター（間接活線工事用コッター）
７１  第１支持部
７１ｈ  第１貫通穴
７２  第２支持部
７２ｈ  第２貫通穴
【図１】
2018116785.tif 000003
【図２】
2018116785.tif 000004
【図３】
2018116785.tif 000005
【図４】
2018116785.tif 000006
【図５】
2018116785.tif 000007
【図６】
2018116785.tif 000008
【図７】
2018116785.tif 000009
【図８】
2018116785.tif 000010
【図９】
2018116785.tif 000011
【図１０】
2018116785.tif 000012
【図１１】
2018116785.tif 000013
【図１２】
2018116785.tif 000014
【図１３】
2018116785.tif 000015
【図１４】
2018116785.tif 000016
【図１５】
2018116785.tif 000017
【図１６】
2018116785.tif 000018
【図１７】
2018116785.tif 000019
【図１８】
2018116785.tif 000020
【図１９】
2018116785.tif 000021
【図２０】
2018116785.tif 000022
【図２１】
2018116785.tif 000023
【図２２】
2018116785.tif 000024